(57)【要約】【課題】どのような長さの材料でも加工することができるとともに、分解、組み立てをすることができる金型プレス機を提供する。【解決手段】第１ローラーと第２ローラーとを具えてなり、２つのローラーは反対方向に回転し、２つのローラーの間には適宜な空間が設けられたローラー部と、ローラー部を被覆し、長手方向と垂直に交わる両側面のそれぞれ前述のローラーの間に形成された空間に対応する位置に開口を形成し、該開口と空間とが形成する開口を具えたハウジングと、ローラー部の下方に被覆され、ローラー部をハウジングに固定する底部カバーと、ハウジングに形成された開口に対応して設けられる２つのブリッジとを具えてなり、反対方向に回転するローラーを回転させて、カッター、レリーフ用の金型を前述の開口から水平に前進もしくは後退させてローラーで金型をプレスし、加工する。【選択図】図１
0003120822.tif 000002
【実用新案登録請求の範囲】
【請求項１】
第１ローラーと第２ローラーとを具えてなり、２つのローラーは反対方向に回転し、２つのローラーの間には適宜な空間が設けられたローラー部と、
ローラー部を被覆し、長手方向と垂直に交わる両側面のそれぞれ前述のローラーの間に形成された空間に対応する位置に開口を形成し、該開口と空間とが形成する開口を具えたハウジングと、
ローラー部の下方に被覆され、ローラー部をハウジングに固定する底部カバーと、
ハウジングに形成された開口に対応して設けられる２つのブリッジとを具えてなり、
反対方向に回転するローラーを回転させて、カッター、レリーフ用の金型を前述の開口から水平に前進もしくは後退させてローラーで金型をプレスし、加工することを特徴とする金型プレス機。
【請求項２】
前記ローラー部は、長手方向の両側面に貫通した開口を形成し、第１ローラーと第２ローラーを長手方向と垂直に交わる両側面に貫設するように設ける固定部材と、
ハンドルと、
固定部材のハンドルが設けられた側面に対向する側面に設け、小型歯車の内の１つがハンドルに連結し、大型歯車の内、最後に位置する大型歯車が第１ローラーに連結し、ハンドルを回すと歯車部に回転運動が伝導し、第１ローラーを回転させる歯車部と、
固定部材の歯車部が設けられた側面に対向するもう一方の側面に設けられた第１歯車と第２歯車とを含んでなり、
該第１歯車は第１ローラーに連結するとともに、第２歯車に噛み合わさり、第２歯車は第２ローラーに連結することを特徴とする請求項１に記載の金型プレス機。
【請求項３】
前記歯車部は、２つの小型歯車と２つの大型歯車とを含んでなり、小型歯車は歯車部の中で最初に回転を開始し、回転運動を他の歯車に伝導し、大型歯車は最後に設けられ、回転の伝導を終了させ、もう一方の小型歯車ともう一方の大型歯車は同軸上で回転することを特徴とする請求項２に記載の金型プレス機。
【請求項４】
前記第１歯車と第２歯車は、同じ直径と歯の数を具えて形成されることを特徴とする請求項２に記載の金型プレス機。
【請求項５】
前記ハウジングは、両側面に垂直な導引溝を形成し、２つのブリッジを導引溝の係合ブロックに対応するように設け、ブリッジをハウジングに固定して組み合わせることを特徴とする請求項１に記載の金型プレス機。
【考案の詳細な説明】
【技術分野】
【０００１】
この考案は、金型プレス機に関し、特に材料を裁断、レリーフ、刻印などを行うことができる組み立て式の金型プレス機に関する。
【背景技術】
【０００２】
手工芸品の製作では紙や布が材料として頻繁に利用される。紙や布などの薄いフィルム状の手芸材料は様々な色の材料を利用して色の変化が楽しめるだけでなく、形状も様々に変化させることができる。通常、手工芸品の作成ではカッターやはさみなどで材料を好みの形状にカッティングする。しかしながら、作成者が自分でカッティングする方法は時間がかかるばかりでなく、カッティングした後の線が経験不足やその他の要因から予想と異なる場合がある。
【０００３】
前述の問題を解決するため、金型プレス機が開発された。台湾の実用新案登録番号４６３７０１号の金型プレス機は、ベースと、磁性を具えた板と、１つ、もしくは複数のカッターと、フレーム部材と、ロールとを含んでなる。該ロールは、ロール軸と、２つの位置決め接続ヘッドと、回転軸と、２つの滑動ブロックと、複数の回転座と、操作部材などからなり、ロールがベース上の両端縁部に設けられたフレームの間を滑動して往復し、カッターの上方に設けられた紙をロールでプレスし、カッティングして外側へ送り出す。
【０００４】
前述の金型プレス機では、ロール軸が紙の金型に対向して移動する。即ち、紙の金型が動かず、ロール軸が移動する。このため、端縁部に設けられたフレームの間に収まる大きなサイズの紙は加工することができるが、異なるサイズの紙の金型をフレームの上方に設ける場合、安定しない。また、フレームは金型プレス機において、必要性の高い操作部材に対して大きな体積を占め、加工する長さを延長することができず、連続して加工することもできない。
【考案の開示】
【考案が解決しようとする課題】
【０００５】
この考案は、どのような長さの材料でも加工することができるとともに、分解、組み立てをすることができる金型プレス機を提供することを課題とする。
【課題を解決するための手段】
【０００６】
そこで、本考案の考案者は従来の技術に見られる欠点に鑑みて鋭意研究を重ねた結果、第１ローラーと第２ローラーとを具えてなり、２つのローラーは反対方向に回転し、２つのローラーの間には適宜な空間が設けられたローラー部と、ローラー部を被覆し、長手方向と垂直に交わる両側面のそれぞれ前述のローラーの間に形成された空間に対応する位置に開口を形成し、該開口と空間とが形成する開口を具えたハウジングと、ローラー部の下方に被覆され、ローラー部をハウジングに固定する底部カバーと、ハウジングに形成された開口に対応して設けられる２つのブリッジとを具えてなり、反対方向に回転するローラーを回転させて、カッター、レリーフ用の金型を前述の開口から水平に前進もしくは後退させてローラーで金型をプレスし、加工する構造によって課題を解決できる点に着眼し、かかる知見に基づいて本考案を完成させた。
【０００７】
以下、この考案について具体的に説明する。
請求項１に記載する第１ローラーと第２ローラーとを具えてなり、２つのローラーは反対方向に回転し、２つのローラーの間には適宜な空間が設けられたローラー部と、ローラー部を被覆し、長手方向と垂直に交わる両側面のそれぞれ前述のローラーの間に形成された空間に対応する位置に開口を形成し、該開口と空間とが形成する開口を具えたハウジングと、ローラー部の下方に被覆され、ローラー部をハウジングに固定する底部カバーと、ハウジングに形成された開口に対応して設けられる２つのブリッジとを具えてなり、反対方向に回転するローラーを回転させて、カッター、レリーフ用の金型を前述の開口から水平に前進もしくは後退させてローラーで金型をプレスし、加工する。
【０００８】
請求項２に記載する金型プレス機は、請求項１におけるローラー部が、長手方向の両側面に貫通した開口を形成し、第１ローラーと第２ローラーを長手方向と垂直に交わる両側面に貫設するように設ける固定部材と、ハンドルと、固定部材のハンドルが設けられた側面に対向する側面に設け、小型歯車の内の１つがハンドルに連結し、大型歯車の内、最後に位置する大型歯車が第１ローラーに連結し、ハンドルを回すと歯車部に回転運動が伝導し、第１ローラーを回転させる歯車部と、固定部材の歯車部が設けられた側面に対向するもう一方の側面に設けられた第１歯車と第２歯車とを含んでなり、該第１歯車は第１ローラーに連結するとともに、第２歯車に噛み合わさり、第２歯車は第２ローラーに連結する。
【０００９】
請求項３に記載の金型プレス機は、請求項２における歯車部が、２つの小型歯車と２つの大型歯車とを含んでなり、小型歯車は歯車部の中で最初に回転を開始し、回転運動を他の歯車に伝導し、大型歯車は最後に設けられ、回転の伝導を終了させ、もう一方の小型歯車ともう一方の大型歯車は同軸上で回転する。
【００１０】
請求項４に記載の金型プレス機は、請求項２における第１歯車と第２歯車が、同じ直径と歯の数を具えて形成される。
【００１１】
請求項５に記載の金型プレス機は、請求項１におけるハウジングが、両側面に垂直な導引溝を形成し、２つのブリッジを導引溝の係合ブロックに対応するように設け、ブリッジをハウジングに固定して組み合わせる。
【考案の効果】
【００１２】
この考案の金型プレス機は、組み立て式のため、収納する場合に広い空間を必要としない効果を有する。
【考案を実施するための最良の形態】
【００１３】
この考案は、どのような長さの材料でも加工することができるとともに、分解、組み立てをすることができる金型プレス機を提供するものであって、第１ローラーと第２ローラーとを具えてなり、２つのローラーは反対方向に回転し、２つのローラーの間には適宜な空間が設けられたローラー部と、ローラー部を被覆し、長手方向と垂直に交わる両側面のそれぞれ前述のローラーの間に形成された空間に対応する位置に開口を形成し、該開口と空間とが形成する開口を具えたハウジングと、ローラー部の下方に被覆され、ローラー部をハウジングに固定する底部カバーと、ハウジングに形成された開口に対応して設けられる２つのブリッジとを具えてなり、反対方向に回転するローラーを回転させて、カッター、レリーフ用の金型を前述の開口から水平に前進もしくは後退させてローラーで金型をプレスし、加工する。
かかる金型プレス機の構造と特徴を詳述するために具体的な実施例を挙げ、図示を参照にして以下に説明する。
【実施例】
【００１４】
図１、３に、この考案の実施例を開示する。図面によれば、この考案の金型プレス機は、ローラー部１と、ハウジング２と、底部カバー３と、２つのブリッジ４などからなる。該ローラー部１は、２つのローラー１１を具えてなる。該ローラー１１は、第１ローラー１１１と第２ローラー１１２からなり、該２つのローラー１１は、それぞれ反対方向に回転する。該第１ローラー１１１と第２ローラー１１２は、両者の間に適宜に距離を空けて空間１２を形成する。該ローラー部１は、ハウジング２で被覆する。該ハウジング２は長手方向と垂直に交わる側面にそれぞれ開口２１を形成する。該開口２１と水平になる位置に対応して前述の２つのローラー１１の間に形成される空間１２が設けられる。該ハウジング２の端縁部の開口２１と２つのローラー１１間の空間１２とが形成する開口５は金型６を通過させることができ、ローラー部１の下方が底部カバー３を被覆する。該底部カバー３は、ローラー部１とともにハウジング２に固定され、該２つのブリッジ４がハウジング２の端縁部の両側にそれぞれ設けられる。該ハウジング２は両側面に垂直な導引溝２２を形成する。該２つのブリッジ４は、導引溝２２の係合ブロックに対応するように設けられ、ブリッジ４をハウジング２に固定して組み合わせることができる。該ブリッジ４とハウジング２は、導引溝２２と係合ブロックが係止して固定されるため、使用しない場合、ブリッジ４をハウジング２から外して収納することができ、広い収納空間を必要としない。
【００１５】
図２に、この考案の金型プレス機のローラー部１を開示する。図面によると、該ローラー部１は、固定部材１３と、ハンドル１４と、歯車部１５と、第１歯車１６と、第２歯車１７などを含んでなる。該固定部材１３は、長手方向の両側面に貫通した開口１３１を形成し、前述の２つのローラー１１を固定部材１３の開口１３１を貫通して長手方向と垂直に交わる両側面に貫設するように設ける。該ハンドル１４は固定部材１３の一側面に設ける。
【００１６】
図４に、この考案の歯車部１５を開示する。図面によると、該歯車部１５は、２つの小型歯車１５１、１５２と、２つの大型歯車１５３、１５４とを含んでなる。該小型歯車１５１は歯車部１５の歯車の中で最も始めに回転を開始し、回転運動を他の歯車に伝導し、大型歯車１５４は歯車部１５の中で最も最後に設けられ回転の伝導が終了し、もう一方の小型歯車１５２ともう一方の大型歯車１５３は、同軸上で回転する。前述の歯車はそれぞれ組み合わさり歯車部を形成する。該小型歯車１５１とハンドル１４は連結し、該大型歯車１５４と第１ローラー１１１が連結している。よって、該ハンドル１４を回すと歯車部１５に回転運動が伝導し、第１ローラー１１１が回転する。即ち、小型歯車１５１、１５２が回転を伝導して大型歯車１５３、１５４を回転させるため、歯車部１５は少ない力で歯車を回転させることができる。
【００１７】
第１歯車１６と第２歯車１７は、固定部材１３の歯車部１５が設けられた側面に対向するもう一方の側面に設ける。第１歯車１６は第１ローラー１１１に連接し、図５に開示するように第２歯車１７に噛み合わさり、第２歯車１７は第２ローラー１１２に連接する。この考案の実施例では、第１歯車１６と第２歯車１７が同じ直径と歯の数を具えて形成され、第１ローラー１１１と第２ローラー１１２は図６に開示するように、同じ速度で反対方向に回転する。
【００１８】
この考案は前述の構造と部品からなり、ハンドル１４は歯車部１５を動かすとともに、第１ローラー１１１と第２ローラー１１２を同じ速度で反対方向に回転させる。よって、ハンドル１４を回し続けるだけでローラー１１が動かされ、カッターもしくはレリーフ用の金型６を移動させることができる。即ち、カッターもしくはレリーフ用の金型６の長さは制限を受けることがなく、連続して材料を裁断し、刻印、レリーフなどの加工を施すと同時に、歯車部１５は力をかけずに動かすことができ、カッターもしくはレリーフ用の金型の厚さに高度の差があっても、裁断、プレスすることができるだけの動力を提供することができる。
【００１９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２０】
【図１】この考案の金型プレス機を示した分解図である。
【図２】図１に開示した金型プレス機のローラーを示した説明図である。
【図３】図１に開示した金型プレス機を示した斜視図である。
【図４】図１に開示した金型プレス機の歯車部を示した説明図である。
【図５】図１に開示した歯車の回転を示した説明図である。
【図６】図１に開示した金型プレス機の操作方法を示した説明図である。
【符号の説明】
【００２１】
１          ローラー
１１        ローラー
１１１      第１ローラー
１１２      第２ローラー
１２        空間
１３        固定部材
１３１      開口
１４        ハンドル
１５        歯車部
１５１      小型歯車
１５２      小型歯車
１５３      大型歯車
１５４      大型歯車
１６        第１歯車
１７        第２歯車
２          ハウジング
２１        開口
２２        導引溝
３          底部カバー
４          ブリッジ
５          開口
６          金型
【図１】
0003120822.tif 000003
【図２】
0003120822.tif 000004
【図３】
0003120822.tif 000005
【図４】
0003120822.tif 000006
【図５】
0003120822.tif 000007
【図６】
0003120822.tif 000008